(57)【要約】      （修正有）【課題】運転手が振り返ることなくサイド死角を確認できる車両室内用サイド死角確認ミラーを提供する。【解決手段】多脚支持装置４０付きの車両室内用サイド死角確認ミラーで、当該ミラーは、サイドミラー４１と、多脚支持装置であって、多脚支持装置にサイドミラーを固定させるための連結台座４２と、フレキシブルで屈曲後に屈曲形状が保持できる半硬質の金属線で作製され、連結台座に連結されたネック４３と、半硬質の金属線で作製され、それぞれの端部が一本に結束してネックに連結する複数の脚４４と、から構成される、多脚支持装置と、複数の脚を自動車内面のある場所に固定させるための粘着部材４５と、から構成さ、多脚支持装置付きの当該車両室内用サイド死角確認ミラーは、あらゆる車両に容易に使用して良好なサイド死角確認効果を奏することができる。【選択図】図１７
2016078843.tif 000002
【特許請求の範囲】
【請求項１】
サイドミラーと、
多脚支持装置であって、
当該多脚支持装置にサイドミラーを固定させるための連結台座と、
フレキシブルで屈曲後に屈曲形状を保持できる半硬質の金属線で作製され、前記連結台座に連結されたネックと、
半硬質の金属線で作製され、それぞれの端部が一本に結束してネックに連結する複数の脚と、
から構成される、多脚支持装置と、
複数の脚を自動車室内表面のある場所に固定させるための粘着部材と、
を含むことを特徴とする車両室内用サイド死角確認ミラー。
【請求項２】
請求項１に記載の車両室内用サイド死角確認ミラーにおいて、
前記粘着部材は、複数の脚を自動車内面の前記ある場所に粘着させるためのガムテープ又は粘着プラスチック片であることを特徴とする車両室内用サイド死角確認ミラー。
【請求項３】
請求項１に記載の車両室内用サイド死角確認ミラーにおいて、
前記粘着部材は、ボール紙、ガムテープ又は粘着プラスチック片であり、
複数の脚をボール紙に粘着させ、ボール紙を自動車内面の前記ある場所に粘着させることを特徴とする車両室内用サイド死角確認ミラー。
【請求項４】
請求項１に記載の車両室内用サイド死角確認ミラーにおいて、
前記粘着部材は、複数の脚を自動車内面の前記ある場所に吸着させるための吸盤であることを特徴とする車両室内用サイド死角確認ミラー。
【請求項５】
請求項１に記載の車両室内用サイド死角確認ミラーにおいて、
前記粘着部材は、脚の屈曲端部分であり、
ガムテープ又は粘着プラスチック片を介して自動車内面の前記ある場所に粘着されることを特徴とする車両室内用サイド死角確認ミラー。
【請求項６】
請求項１に記載の車両室内用サイド死角確認ミラーにおいて、
前記複数の脚とネックは、プラスチック被覆の金属線であることを特徴とする車両室内用サイド死角確認ミラー。
【請求項７】
請求項１に記載の車両室内用サイド死角確認ミラーにおいて、
前記連結台座は、金属線又は金属片で作製されたフレームであることを特徴とする車両室内用サイド死角確認ミラー。
【請求項８】
請求項１に記載の車両室内用サイド死角確認ミラーにおいて、
２本の脚の交差角度を０°〜１８０°にすることにより、前記多脚支持装置が異なる車両の内面の任意の場所に固定されるようにすることを特徴とする車両室内用サイド死角確認ミラー。
【請求項９】
請求項１に記載の車両室内用サイド死角確認ミラーにおいて、
各脚を屈曲可能にして脚の両端部間の距離を短くすることにより、前記多脚支持装置が異なる車両の内面の任意の場所に固定されるようにすることを特徴とする車両室内用サイド死角確認ミラー。
【請求項１０】
請求項１に記載の車両室内用サイド死角確認ミラーにおいて、
サイドミラーを最適位置に調整してサイド死角を確認しやすくするために、前記ネックは、屈曲可能又は捻り可能にされたことを特徴とする車両室内用サイド死角確認ミラー。
【請求項１１】
請求項１に記載の車両室内用サイド死角確認ミラーにおいて、
前記多脚支持装置は、２本又は３本又は４本の脚を有することを特徴とする車両室内用サイド死角確認ミラー。
【請求項１２】
請求項１に記載の車両室内用サイド死角確認ミラーにおいて、
前記多脚支持装置は、ＡＣ換気口又はダッシュボード又はドア又はフロントガラスに固定されるか、運転手の傍の自動車のＡピラー又は空気排出取付具に固定されることを特徴とする車両室内用サイド死角確認ミラー。
【発明の詳細な説明】
【技術分野】
【０００１】
本発明は、車両用サイドミラー組立体に関し、特に車両室内用サイド死角確認ミラーに関する。
【背景技術】
【０００２】
サイド死角は、運転者がみな知ることである。車線変更の際に、運転手は、必ず振り返ってサイド死角を確認してそこに車両がないことを確認する。こうすることを忘れれば、車が破損する事故になりうる。振り返ってサイド死角を確認することは、非常に重要なことであるが、運転手にとって手間がかかり疲れる。上記問題を解決する発明は、多数あるが、複雑で高価なものである。アウターサイドミラーと併用する簡単なものもあるが、死角のイメージが小さく、運転手がはっきりと見えない。
【発明の概要】
【発明が解決しようとする課題】
【０００３】
本発明は、運転手が振り返ることなくサイド死角を確認できることに協力する車両室内用サイド死角確認ミラーを提供することを目的とする。
【課題を解決するための手段】
【０００４】
車両室内用サイド死角確認ミラーは、多脚支持装置を含む。くもの巣構造を有する当該多脚支持装置は、その脚が半硬質の金属線で作製される。金属線は、フレキシブルなものであり、屈曲後に屈曲形状が保持できる。従って、多脚支持装置は、車両室内用サイドミラーを自動車内面の任意の場所に確実に固定させることができ、サイド死角を確認するようサイドミラーが最適位置まで調整される。多脚支持装置付きの当該車両室内用サイド死角確認ミラーは、あらゆる車両に容易に使用して良好な効果を奏することができる。当該多脚支持装置は、２本又は３本又は４本又はそれ以上の脚を有する。
【０００５】
車両室内用サイド死角確認ミラーは、運転手の前方に位置する自動車の内装部品に固定された台座と、サイドミラーと、台座とサイドミラーを連結するための可撓ミラー棒とを含む。サイドミラーは、運転手が振り返ることなくサイド死角を確認するために最適な位置に位置決めされることができる。
【０００６】
車両室内用サイド死角確認ミラーは台座を含み、この台座は、アンカー台座である。アンカー台座は、基板を含む。基板上にはネックがあり、ボールがネックによって支持されている。複数のアンカー脚が、基板の背面から延び出ている。複数のアンカー脚は、サイドＡＣ換気口に挿入され、アンカー台座をサイドＡＣ換気口に固定できる。
【０００７】
車両室内用サイド死角確認ミラーの台座は、運転手の傍らのダッシュボードに重さによって据えられたサンドバッグ台座であってもよい。サイドミラーは、可撓金属管に固定され、可撓金属管は、サンドバッグ台座に固定される。
【０００８】
車両室内用サイド死角確認ミラーの台座は、運転手の傍らのダッシュボードに粘着される粘着テープを有するボール紙台座であってもよい。サイドミラーは、可撓金属管に固定され、可撓金属管は、ボール紙台座に固定される。
【０００９】
車両室内用サイド死角確認ミラーの台座は、運転手の傍らのダッシュボードに粘着される粘着テープを有するシリコーン粘着パッド台座であってもよい。サイドミラーは、可撓ボールソケットジョイントミラー棒に固定され、可撓ボールソケットジョイントミラー棒は、シリコーン粘着パッド台座に固定される。
【発明の効果】
【００１０】
本発明の車両室内用サイド死角確認ミラーは、運転手にとって重要なものである。一般的なサイドミラーでサイド死角が写されない問題と、運転手がサイド死角を確認するには振り返らなければならない問題を解決し、運転の安全性向上に寄与する。
【図面の簡単な説明】
【００１１】
【図１】サイドＡＣ換気口に固定されるアンカー台座を有する車両室内用サイド死角確認ミラーを示す図である。
【図２】車両室内用サイド死角確認ミラーのアンカー台座を示す図である。
【図３】３本のアンカー脚でサイドＡＣ換気口に固定されるアンカー台座を示す図である。
【図４】車両室内用サイド死角確認ミラーの可撓ボールソケットジョイントミラー棒を示す図である。
【図５】サイドミラーと可撓ボールソケットジョイントミラー棒の連結を示す図である。
【図６】アンカー台座でサイドＡＣ換気口に固定される車両室内用サイド死角確認ミラーを示す図である。
【図７】サイドミラーと可撓ボールソケットジョイントミラー棒の連結を示す図である。
【図８】ダッシュボードに位置するサンドバッグ台座を有する車両室内用サイド死角確認ミラーを示す図である。
【図９】粘着テープを有するボール紙台座を有する車両室内用サイド死角確認ミラーを示す図である。
【図１０】自動車のダッシュボードに粘着され、ボール紙台座を有する車両室内用サイド死角確認ミラーを示す図である。
【図１１】自動車のサイドドアに粘着され、フレキシブルなボール紙台座を有する車両室内用サイド死角確認ミラーを示す図である。
【図１２】自動車のダッシュボードに粘着され、シリコーン粘着パッド台座を有する車両室内用サイド死角確認ミラーを示す図である。
【図１３】シリコーン粘着パッドを示す図である。
【図１４】ハンドル台座を有する車両室内用サイド死角確認ミラーを示す図である。ハンドル台座は、自動車に固有のハンドルである。
【図１５】ハンドル台座がハンドルであり、当該ハンドルを自動車のウォールに固定することを示す図である。
【図１６】サイドミラーと可撓棒の連結を示す図である。
【図１７】三脚台支持構造を有する車両室内用サイド死角確認ミラーを示す図である。
【図１８】屈曲可能にして脚の両端部間の距離を短くできる、三脚台支持装置における１本の脚を示す図である。
【図１９】屈曲され捻られたネックを示す図である。
【図２０】３本の脚がボール紙に固定され、ボール紙を、ガムテープ又は粘着プラスチック片で自動車内面のある場所に固定させることを示す図である。
【図２１】吸盤を有する脚を示す図である。
【図２２】金属片形態の連結台座を示す図である。
【図２３】金属線で作製したフレーム形態の連結台座を示す図である。
【図２４】自動車のダッシュボード又はフロントガラス又は通気取付具に固定され、三脚台支持装置付きの車両室内用サイドミラーを示す図である。
【図２５】自動車のドアに固定される三脚台支持装置付きの車両室内用サイドミラーを示す図である。
【図２６】自動車のＡピラーに固定される三脚台支持装置付きの車両室内用サイドミラーを示す図である。
【図２７】自動車のＡＣ換気口に固定される三脚台支持装置付きの車両室内用サイドミラーを示す図である。
【図２８】４本の脚を有する多脚支持装置を示す図である。
【図２９】２本の脚を有する多脚支持装置を示す図である。
【発明を実施するための形態】
【００１２】
（実施例１）
図１、２、３、４、５、６、７を参照する。車両室内用サイド死角確認ミラー１は、アンカー台座４と、可撓ボールソケットジョイントミラー棒３と、サイドミラー２とを含む。
【００１３】
当該アンカー台座４は、基板７を含む。基板にネック６を有し、ネックに連結ボール５を有する。当該基板７の背面から延び出る複数のアンカー脚（８及び９）は、サイドＡＣ換気口１０の内部に挿入されてアンカー台座４をサイドＡＣ換気口１０に固定させる。
【００１４】
当該可撓ボールソケットジョイントミラー棒３は、複数のボールソケットジョイント１１から組み立てられた可撓ボールソケットジョイント棒である。各ボールソケットジョイント１１は、連結ボール１１ａと連結凹所１１ｂを有する。当該複数のボールソケットジョイント１１は、連結ボール１１ａを連結凹所１１ｂへそれぞれ挿入することにより、一体に連結されている。アンカー台座４の連結ボール５は、可撓ボールソケットジョイントミラー棒の連結凹所１１ｂへ挿入でき、そして当該棒と台座とが一体に連結できる。
【００１５】
当該サイドミラー２の背面には、ボール１２ａを有するボールソケット１２が固定される。ボール１２ａが可撓ボールソケットジョイントミラー棒３の連結凹所１１ｂに挿入されることにより、サイドミラー２は、可撓ボールソケットジョイントミラー棒３に取り付けられる。
【００１６】
当該サイドミラー２は、運転手がサイドミラーを通してサイド死角エリアを確認する最適位置まで調整される。
【００１７】
（実施例２）
図８を参照する。車両室内用サイド死角確認ミラー２６は、サンドバッグ台座１３と、可撓金属管棒１４と、サイドミラー１５とを含む。
【００１８】
サンドバッグ台座１３は、砂を布で包んでなるものである。可撓金属管棒１４は、一端がサンドバッグ台座１３に固定され、他端がサイドミラー１５に連結される。サンドバッグ台座１３は、ダッシュボード２１に置かれる。
【００１９】
当該サイドミラー１５は、運転手がサイドミラーを通してサイド死角エリアを確認する最適位置まで調整される。
【００２０】
（実施例３）
図９、１０、１１を参照する。車両室内用サイド死角確認ミラー２０は、ボール紙台座１８と、可撓金属管棒１７と、サイドミラー１６とを含む。ボール紙台座１８の背部に粘着テープ１９を有する。
【００２１】
当該サイドミラー１６は、可撓金属管棒１７の一端に固定される。可撓金属管棒１７の他端は、ボール紙台座１８に固定される。ボール紙台座１８は、粘着テープ１９によって、ダッシュボード２１又はサイドドア２２に粘着される。
【００２２】
当該サイドミラー１６は、運転手がサイドミラーを通してサイド死角エリアを確認する最適位置まで調整される。
【００２３】
図１２、１３を参照する。車両室内用サイド死角確認ミラー２２は、シリコーン粘着パッド台座２５と、可撓ボールソケットジョイントミラー棒２４と、サイドミラー２３とを含む。シリコーン粘着パッド台座２５は、シリコーン粘着パッド２６を有する。シリコーン粘着パッド２６は、非常に粘着力が強く安全であり、ひとたび貼り付けると簡単に剥がれない。別の特長としては、剥がされた時、貼り付けられていた表面にいかなる残留物も残さないことが挙げられる。このシリコーンは、市販されている製品である。
【００２４】
サイドミラー２３は、可撓ボールソケットジョイントミラー棒２４の一端に固定される。可撓ボールソケットジョイントミラー棒２４の他端は、シリコーン粘着パッド台座２５に固定される。シリコーン粘着パッド台座２５は、ダッシュボード２１に粘着される。
【００２５】
当該サイドミラー２３は、運転手がサイドミラーを通してサイド死角エリアを確認する最適位置まで調整される。
【００２６】
（実施例４）
図１４、１５、１６を参照する。車両室内用サイド死角確認ミラー３０は、ハンドル台座３１と、可撓金属線棒３２と、サイドミラー３３とを含む。
【００２７】
小型車及びそれより大型であるトラックの運転席の傍に、固定されたハンドルを有する。このような固有のハンドルは、車両室内用サイド死角確認ミラーのハンドル台座３１として用いられることができる。金属線３２は、サイドミラー３３の背面に固定される。当該金属線３２は、ハンドル３１に巻き付けられる。当該サイドミラー３３は、運転手がサイドミラーを通してサイド死角エリアを確認する最適位置まで調整される。
【００２８】
当該可撓金属線棒３２は、金属線、可撓ボールソケットジョイントミラー棒又は金属管棒で代替することができる。
【００２９】
当該ハンドル台座３１は、自動車のウォールから離間できる。図１５を参照する。ハンドル３１に両端面を有し、端面上に粘着パッド３４を有する。ハンドル３１は、粘着パッド３４を介して自動車のウォールに固定される。
【００３０】
図１６を参照する。金属線は、サイドミラー３３の背面に粘着される。他の方法、例えば機械的方法により、可撓金属棒３２をサイドミラー３３に連結できる。
【００３１】
（実施例５）
図１７〜２７を参照する。車両室内用サイド死角確認ミラーは、多脚支持装置を含む。多脚支持装置は、３本の脚を有して三脚台になる。３本の脚が半硬質の金属線から作製された三脚台構造を有する三脚台支持装置は、金属線がフレキシブルなものであり、屈曲後に屈曲形状が保持できることが利点である。従って、三脚台支持装置は、車両室内用サイドミラーを自動車内面の任意の場所に確実に固定することができ、サイドミラーを、サイド死角を確認する上で最適な位置まで調整することを可能にする。三脚台支持装置付きの当該車両室内用サイド死角確認ミラーは、あらゆる車両に容易に使用して良好な効果を奏することができる。
【００３２】
図１７を参照する。三脚台支持装置４０付きの車両室内用サイド死角確認ミラーは、サイドミラー４１を含む。
【００３３】
連結台座４２は、粘着又は機械的方法によりサイドミラー４１の背面に固定される。
【００３４】
ネック４３は、支持装置４０に連結され、半硬質の金属線で作製される。これは、金属線がフレキシブルなものであり屈曲後に屈曲形状をそのまま保持できることを意味する（当該定義は、以下の全ての説明に用いられる）。
【００３５】
３本の脚４４は、半硬質の金属線から作製される。脚４４の端部は、一本に結束してネック４３の端部に連結する。３本の脚４４は、離間して三脚台を構成することが可能である。ネックと脚は、金属線、例えば銅線、鉄線、鋼線、又はプラスチック被覆の金属線で作製される。
【００３６】
各脚の各端部に、３本の脚を自動車内面のある場所に固定させるための粘着部材４５を有する。当該粘着部材は、脚の屈曲端部分であり、三脚台を自動車内面のある場所に粘着させる（図１８を参照）。粘着部材４５は、３本の脚を自動車内面のある場所に固定させるためのガムテープ又は粘着プラスチック片４６である。さらに図２１を参照する。粘着部材は、３本の脚を自動車内面のある場所に吸着させるための吸盤４７である。さらに図２０を参照する。粘着部材は、ボール紙４８、ガムテープ又は粘着プラスチック片４６であり、３本の脚４４をボール紙４８に粘着させ、それから、ボール紙４８を自動車４９の内面のある場所に粘着させる。
【００３７】
図１８、１９を参照する。２本の脚の交差角度を０°〜１８０°にすることにより、三脚台支持装置が異なる車両の内面のある場所に固定されるようにする。各脚（例えば脚Ａ、脚Ｂ）を屈曲可能にして脚の両端部間の距離を短くすることにより、三脚台支持装置が異なる車両の内面の任意の場所に固定されるようにする。
【００３８】
図１９を参照する。サイドミラーを最適位置に調整してサイド死角を確認しやすくするために、ネック４３は、屈曲可能又は捻り可能である。
【００３９】
図２２、２３を参照する。連結台座は、金属線又は金属片５０で作製されたフレーム５１である。
【００４０】
図２８、２９を参照する。多脚支持装置は、２本又は４本の脚を有する。
【００４１】
図２４、２５、２６、２７を参照する。三脚台支持装置は、ＡＣ換気口５２又はダッシュボード５３又はドア５４又はフロントガラス５７に固定されるか、空気排出取付具５６又は運転手の傍の自動車のＡピラー５５に固定される。
【図１】
2016078843.tif 000003
【図４】
2016078843.tif 000004
【図５】
2016078843.tif 000005
【図６】
2016078843.tif 000006
【図７】
2016078843.tif 000007
【図８】
2016078843.tif 000008
【図９】
2016078843.tif 000009
【図１０】
2016078843.tif 000010
【図１１】
2016078843.tif 000011
【図１２】
2016078843.tif 000012
【図１３】
2016078843.tif 000013
【図１４】
2016078843.tif 000014
【図１５】
2016078843.tif 000015
【図１６】
2016078843.tif 000016
【図１７】
2016078843.tif 000017
【図１８】
2016078843.tif 000018
【図１９】
2016078843.tif 000019
【図２０】
2016078843.tif 000020
【図２１】
2016078843.tif 000021
【図２２】
2016078843.tif 000022
【図２３】
2016078843.tif 000023
【図２４】
2016078843.tif 000024
【図２５】
2016078843.tif 000025
【図２６】
2016078843.tif 000026
【図２７】
2016078843.tif 000027
【図２８】
2016078843.tif 000028
【図２９】
2016078843.tif 000029
【図２】
2016078843.tif 000030
【図３】
2016078843.tif 000031
【外国語明細書】
2016078843000001.pdf